(57)【要約】【課題】通信履歴情報の出力回数を低減する。【解決手段】画像形成装置１は、ファクシミリ通信毎の通信履歴情報を格納するＦｌａｓｈＭｅｍｏｒｙ６（不揮発性記憶部）と、前記通信履歴情報を出力するプリンタ部９（出力部）と、ファクシミリ通信が行われた数（不揮発性記憶部に記憶された通信履歴情報の数）と、装置に設定された閾値（出力開始時刻記憶部７Ａ（ＥＥＰＲＯＭ）に格納された印刷条件（最低通信履歴情報数））とを比較し、通信履歴数が閾値未満の場合には、通信履歴情報を出力部に出力させず、通信履歴数が前記閾値以上の場合には、通信履歴情報を出力部に出力させるシステム制御部２Ａ（制御部）とを備える。【選択図】図１
2012050040.tif 000002
【特許請求の範囲】
【請求項１】
ファクシミリ通信毎の通信履歴情報を格納する不揮発性記憶部と、
前記通信履歴情報を出力する出力部と、
前記ファクシミリ通信が行われた数を表す通信履歴数と、装置に設定された閾値とを比較し、前記通信履歴数が前記閾値未満の場合には、前記通信履歴情報を前記出力部に出力させず、前記通信履歴数が前記閾値以上の場合には、前記通信履歴情報を前記出力部に出力させる制御部と
を備えることを特徴とする画像形成装置。
【請求項２】
前記制御部が前記通信履歴情報を前記出力部に出力後、前記出力した通信履歴情報を前記不揮発性記憶部から削除する削除部を備える
ことを特徴とする請求項１に記載された画像形成装置。
【請求項３】
前記出力部による前記通信履歴情報の出力開始時刻を指定する出力開始時刻記憶部と、
現在時刻を逐次取得する現在時刻取得部とを備え、
前記制御部は、前記現在時刻取得部により取得される現在時刻が前記出力開始時刻に達したときに、前記通信履歴数と前記閾値との比較を行う
ことを特徴とする請求項１または請求項２に記載された画像形成装置。
【請求項４】
前記出力部による前記通信履歴情報の出力開始時刻を指定する出力開始時刻記憶部と、
現在時刻を逐次取得する現在時刻取得部とを備え、
前記制御部は、前記通信履歴数と前記閾値との比較の結果、前記通信履歴数が前記閾値以上の場合、さらに、前記出力開始時刻と前記現在時刻取得部により取得される現在時刻とを比較して、前記現在時刻が前記出力開始時刻に達したときに、前記通信履歴情報を前記出力部に出力させる
ことを特徴とする請求項１または請求項２に記載された画像形成装置。
【請求項５】
復帰要因を検出する復帰監視部と、
前記出力部が出力可能な電力を供給する通常モードと、前記通常モードより少なく、前記出力部の主要部に電力を供給すると共に、前記制御部に電力を供給する第１の省電力モードと、前記出力部および前記制御部に電力を供給せず前記復帰監視部に電力を供給する第２の省電力モードとのいずれか１つのモードで給電する電源部と、を備え、
前記第１の省電力モードで給電される前記制御部は、
前記通信履歴数と前記閾値との比較の結果、前記通信履歴数が前記閾値未満の場合、前記電源部を第２の省電力モードに移行させ、前記通信履歴数が前記閾値以上の場合、前記電源部に第１の省電力モードを維持させる
ことを特徴とする請求項１乃至請求項４の何れか一項に記載された画像形成装置。
【請求項６】
閾値を予め記憶する不揮発性記憶部と、
前記通信履歴情報を出力する出力部とを備えるコンピュータを、
ファクシミリ通信毎の通信履歴情報を前記不揮発性記憶部に逐次格納するファックス制御手段と、
前記不揮発性記憶部に記憶された通信履歴情報の数を計数し、その計数結果である通信履歴数と、前記閾値とを比較し、前記通信履歴数が前記閾値未満の場合には、前記通信履歴情報を前記出力部に出力させず、前記通信履歴数が前記閾値以上の場合には、前記通信履歴情報を前記出力部に出力させる通信履歴管理手段と
して機能させることを特徴とするファクシミリプログラム。
【請求項７】
前記コンピュータを、
前記通信履歴管理手段が前記通信履歴情報を前記出力部に出力後、前記出力した通信履歴情報を不揮発性記憶部から削除する削除手段
として機能させることを特徴とする請求項６に記載されたファクシミリプログラム。
【請求項８】
前記コンピュータは、現在時刻を逐次取得する現在時刻取得部をさらに備え、前記不揮発性記憶部が出力開始時刻を予め記憶している請求項６または請求項７に記載されたファクシミリプログラムであって、
前記コンピュータに、
前記現在時刻取得部が取得した現在時刻が前記出力開始時刻に達したときに、前記不揮発性記憶部に記憶された通信履歴情報の数を前記計数させることを特徴とするファクシミリプログラム。
【発明の詳細な説明】
【技術分野】
【０００１】
本発明は、ファクシミリ通信を行うことができる画像形成装置およびファクシミリプログラムに関する。
【背景技術】
【０００２】
近年、コピー、スキャナ、ファクシミリ、プリントなどの複数の機能を備えた、複合機（ＭＦＰ：Multi Function Peripheral）と呼ばれる画像形成装置が普及している。
ファックス機能を備えた画像形成装置は、毎日、予め設定された時刻（印刷設定時刻）に、前回印刷した時刻以降にファックスの送受信を行った通信履歴の一覧を印刷する『通信管理日報レポート印刷機能』を有している。この機能により、前回の印刷設定時刻から、今回の印刷設定時刻までの期間に発生したファックスの通信履歴の一覧が印刷された『通信管理日報レポート』を、利用者は取得することができる。
【０００３】
また、このような画像形成装置は、一般的に電力消費を抑制するための省電力機能が設けられており、所定時間、画像形成装置への操作がなされなかったときや、外部ホストから印刷データを受信しなかったときなどに有効となる。この省電力機能は、例えば、スキャナユニットの駆動モータ電源や、印刷装置の定着器などへの電力供給を遮断したり、操作パネルの表示部のバックライトを消灯したりして実現される。この省電力状態をパワーセーブ状態（第１の省電力状態）と呼ぶ。
【０００４】
なお、上記のパワーセーブ状態では、依然として数十ワットの電力が消費される。そのため、さらなる省電力を図るために、上位装置との通信機能や一部の機能を除く画像形成装置本体各部への電力供給を停止し、画像形成装置内部の画像処理用のＣＰＵ（Central Processing Unit）へ供給する電力を低減、または“０”（ＯＦＦ）にする省電力機能がある。この省電力状態をスリープ状態（第２の省電力状態）と呼ぶ。
【０００５】
これらの省電力状態において、画像形成装置は、ユーザによって所定のキー操作が行われたり、ファクシミリを受信したり、外部ホストから印刷データを受信したりする、など所定のイベントが発生するまで省電力状態が継続され、その間の電力消費量は、通常の電力消費量よりも少なく保たれ、省電力状態が解除されると画像形成装置の各デバイスに対する通電が行われ、通常どおり使用できる待機状態に戻るように構成されている。
【先行技術文献】
【特許文献】
【０００６】
【特許文献１】特開２０００−５６８６９号公報
【発明の概要】
【発明が解決しようとする課題】
【０００７】
しかしながら、従来のファックス機能を備えた画像形成装置は、ファックスの通信履歴が有る場合のみや、ファックスの通信履歴が一定数以上である場合にのみ、利用者が通信管理日報レポートを必要である場合であっても、この通信管理日報レポートが通信履歴の有無や通信履歴の履歴数にかかわらず、毎日印刷されてしまうという無駄が発生する問題があった。
【０００８】
そこで、本発明は前記問題を解決するためになされたものであり、通信履歴情報の出力回数を低減することができる画像形成装置およびファクシミリプログラムを提供することを目的とする。
【課題を解決するための手段】
【０００９】
前記目的を達成するため、第１発明の画像形成装置は、ファクシミリ通信毎の通信履歴情報を格納する不揮発性記憶部と、前記通信履歴情報を出力する出力部（例えば、プリンタ部）と、前記ファクシミリ通信が行われた数を表す通信履歴数（例えば、前記不揮発性記憶部に記憶された通信履歴情報の数）と、装置に設定された閾値とを比較し、前記通信履歴数が前記閾値未満の場合には、前記通信履歴情報を前記出力部に出力させず、前記通信履歴数が前記閾値以上の場合には、前記通信履歴情報を前記出力部に出力させる制御部（例えば、通信履歴管理部の機能）とを備える。
【００１０】
また、第２発明のファクシミリプログラムは、閾値を予め記憶する不揮発性記憶部と、前記通信履歴情報を出力する出力部とを備えるコンピュータを、ファクシミリ通信毎の通信履歴情報を前記不揮発性記憶部に逐次格納するファックス制御手段と、前記不揮発性記憶部に記憶された通信履歴情報の数を計数し、その計数結果である通信履歴数と、前記閾値とを比較し、前記通信履歴数が前記閾値未満の場合には、前記通信履歴情報を前記出力部に出力させず、前記通信履歴数が前記閾値以上の場合には、前記通信履歴情報を前記出力部に出力させる通信履歴管理手段として機能させる。
【００１１】
また、前記画像形成装置において、復帰要因を検出する復帰監視部と、前記出力部が出力可能な電力を供給する通常モード（例えば、通常状態時印刷シーケンス）と、前記通常モードより少なく、前記出力部の主要部に電力を供給すると共に、前記制御部に電力を供給する第１の省電力モード（例えば、パワーセーブ状態時シーケンス）と、前記出力部および前記制御部に電力を供給せず前記復帰監視部に電力を供給する第２の省電力モード（例えば、スリープ状態時シーケンス）とのいずれか１つのモードで給電する電源部と、を備え、前記第１の省電力モードで給電される前記制御部は、前記通信履歴数と前記閾値との比較の結果、前記通信履歴数が前記閾値未満の場合、前記電源部を第２の省電力モードに移行させ、前記通信履歴数が前記閾値以上の場合、前記電源部に第１の省電力モードを維持させることができる。
【００１２】
これによれば、省電力状態を第１の省電力状態（パワーセーブ状態）にしかすることができない場合でも、画像形成装置としてより省電力を図ることが可能な第２の省電力モード（例えば、スリープ状態）に移行することができる。すなわち、省電力機能において、通信管理日報レポート印刷機能が「有効」になっており、かつ、制御部で所定時刻の到来を待っているときであっても、スリープ状態に移行することができる。
【発明の効果】
【００１３】
本発明によれば、通信履歴情報の出力回数を低減することができる。言い換えれば、通信管理日報レポートの印刷回数を低減することができるので、印刷媒体の消費を抑制することができる。
【図面の簡単な説明】
【００１４】
【図１】第１の実施形態における画像形成装置としての複合機の全体構成のブロック図である。
【図２】プリンタ部により印刷された通信管理日報レポートの一例である。
【図３】システム制御部が備える機能部を示す図である。
【図４】ファックス送信シーケンスのフローチャートである。
【図５】ファックス受信シーケンスのフローチャートである。
【図６】印刷シーケンスのフローチャートである。
【図７】第２の実施形態における画像形成装置としての複合機の全体構成のブロック図である。
【図８】システム制御部が備える機能部を示す図である。
【図９Ａ】パワーセーブ状態時シーケンス（メインシーケンス）のフローチャートである。
【図９Ｂ】図９Ａに続くパワーセーブ状態時シーケンス（メインシーケンス）のフローチャートである。
【図１０】ファックス受信シーケンスのフローチャートである。
【図１１】キー操作シーケンスのフローチャートである。
【図１２】スリープ状態時シーケンスのフローチャートである。
【図１３】通常状態時印刷シーケンスのフローチャートである。
【発明を実施するための形態】
【００１５】
（第１の実施形態）
以下、本発明の実施の形態を図面に基づいて説明する。図１は、第１の実施形態における画像形成装置としての複合機の全体構成のブロック図である。図２は、プリンタ部により印刷された通信管理日報レポートの一例である。表１は、本実施形態の通信管理日報レポートに印字される情報の一例を示す。
図１において、画像形成装置としての複合機１は、画像読取部としてのスキャナ部８と、画像形成部としてのプリンタ部９と、ファックス部１０と、表示操作部１１と、システム制御部２（２Ａ）（制御部）と、ＲＴＣ（Real Time Clock；リアルタイムクロック）４と、ＦｌａｓｈＭｅｍｏｒｙ６と、ＥＥＰＲＯＭ（Electrically Erasable Programmable Read-Only Memory）７（７Ａ）とを備え、ファックス送信の送信履歴データおよびファックス受信の受信履歴データを、通信履歴データとしてＦｌａｓｈＭｅｍｏｒｙ６に記録し、その通信履歴データの数（通信履歴数）が所定数以上蓄積されたときに、通信管理日報レポートを印刷する。
【００１６】
【表１】
2012050040.tif 000003
【００１７】
（ＲＴＣ４）
ＲＴＣ４は、現在時刻を計時する計時専用チップである。
（ＦｌａｓｈＭｅｍｏｒｙ６）
不揮発性記憶部としてのＦｌａｓｈＭｅｍｏｒｙ６は、複合機１（ファックス部１０）が行ったファックス送信の送信履歴データおよびファックス受信の受信履歴データを、通信履歴データとして記録する。このとき、後記するシステム制御部２Ａ（通信履歴管理部３６Ａ）により、通信履歴データはデータベース化されて管理される。
【００１８】
（ＥＥＰＲＯＭ７Ａ）
ＥＥＰＲＯＭ７Ａは、表２に示す通信管理日報レポートに関する設定値を記録する記憶部であり、複合機１Ａにおいて、（ａ）通信管理日報レポート印刷機能の有効／無効、（ｂ）通信管理日報レポート印刷時刻、（ｃ）通信管理日報レポートの印刷条件となる最低通信履歴数、を設定値として記録する。
なお、ＦｌａｓｈＭｅｍｏｒｙ６や、ＥＥＰＲＯＭ７Ａは、不揮発性メモリの一種であり、電力が供給されなくてもデータを記録しておく機能を有する。
【００１９】
【表２】
2012050040.tif 000004
【００２０】
（スキャナ部８）
スキャナ部８は、原稿画像の読み取り機能を有し、図示しない原稿載置台、自動原稿送り装置ＡＤＦ（Auto Document Feeder）やリニアセンサなどを備えている。
（プリンタ部９）
プリンタ部９は、スキャナ部８が取り込んだ原稿画像を、紙などの媒体上に画像形成する機能を有する。プリンタ部９は、現像ユニットや、イメージドラム、定着器ユニット、給紙部などを備える。
【００２１】
（ファックス部１０）
ファックス部１０は、ＮＣＵ（Network Control Unit；網制御部）や、ファックスモデムなどを備え、ネットワークや電話回線などの通信回線を通じて、ファックス送信やファックス受信などのファクシミリ通信を行う。
（表示操作部１１）
表示操作部１１は、ユーザによるキー操作を受け付ける入力部や、ユーザに対して画像を表示する表示部を備える。
【００２２】
（システム制御部２Ａ）
システム制御部２Ａは、ＣＰＵ（Central Processing Unit）３とメモリとを備え、複合機１全体を制御する。メモリには、ＣＰＵ３と協働して実行されるプログラムが格納されている。
図３は、ＣＰＵ３とメモリに格納されたプログラムとが協働することにより実現される、システム制御部２Ａが備える機能部を示した図である。
システム制御部２Ａは、スキャナ制御部３１と、プリンタ制御部３２と、ファックス制御部３３と、表示操作制御部３４と、通信履歴管理部３６（３６Ａ）と、日報印刷判定部３７として機能する。
【００２３】
（スキャナ制御部３１）
スキャナ制御部３１は、スキャナ部８を制御する機能部であり、原稿載置台に原稿が載置されたときに、スキャナ部８が備える読み取り機構を駆動させ、リニアセンサが連続的に出力する読取画像のデータを取り込む機能を有する。
（プリンタ制御部３２）
プリンタ制御部３２は、プリンタ部９を制御する機能部であり、通信管理日報レポートの印刷データをプリンタ部９に出力して、紙などの媒体に印刷させたり、スキャナ制御部３１が取り込んだデータをプリンタ部９に出力して、読取画像を媒体に形成させたりする。
【００２４】
（ファックス制御部３３）
ファックス制御部３３は、ファックス部１０を制御する機能部であり、スキャナ部８が読み込んだ原稿画像を、ファックス部１０に通信回線を介してファックス送信させたり、ファックス受信があった場合には、受信画像を取り込んだりする。
ファックス制御部３３は、ファックス部１０がファックス送信を行ったときには送信履歴データを生成し、ファックス受信を行ったときには受信履歴データを生成する。そして、生成した送信履歴データおよび受信履歴データを、ＦｌａｓｈＭｅｍｏｒｙ６に通信履歴データとして追加記録する。
（表示操作制御部３４）
表示操作制御部３４は、表示操作部１１を制御する機能部であり、入力部からのキー操作の検知を行ったり、表示部に画像を表示させたりする。
【００２５】
（通信履歴管理部３６Ａ）
通信履歴管理部３６Ａは、ＦｌａｓｈＭｅｍｏｒｙ６に記憶されたファクシミリの通信履歴データをデータベース化して管理する。
ここで、通信履歴データには、表１に示す通信管理日報レポートに印字される情報の各項目が少なくとも含まれる。
また、通信履歴管理部３６Ａは、プリンタ部９が印刷する通信管理日報レポートの印刷データを生成する。
【００２６】
（日報印刷判定部３７）
日報印刷判定部３７は、通信管理日報レポートの印刷可否を判定する処理部である。
まず、日報印刷判定部３７は、ＥＥＰＲＯＭ７Ａから、通信管理日報レポートに関するデータ（表４を参照）を読み出し、第１の判定を行う。
（第１の判定）
第１の判定において、日報印刷判定部３７は、ＥＥＰＲＯＭ７Ａから「通信管理日報レポート印刷機能」の設定値（「有効／無効」）を読み出し、その設定値が「有効」であるか否かを判定する。通信管理日報レポート印刷機能の設定値が「有効」であれば、日報印刷判定部３７は、第２の判定を行う。
【００２７】
（第２の判定）
第２の判定において、日報印刷判定部３７は、ＥＥＰＲＯＭ７Ａから「通信管理日報レポート印刷時刻」の設定値（印刷設定時刻「hh:mm」）を読み出し、さらに、ＲＴＣ４から「現在時刻」を読み出す。そして、設定値（印刷設定時刻）が到来しているか否かを判定する。到来していれば（印刷設定時刻が現在時刻より過去）、日報印刷判定部３７は、第３の判定を行う。
【００２８】
（第３の判定）
第３の判定において、日報印刷判定部３７は、ＥＥＰＲＯＭ７Ａから「最低通信履歴数」の設定値を読み出し、さらに、通信履歴管理部３６Ａにより管理され、ＦｌａｓｈＭｅｍｏｒｙ６に記憶された通信履歴データの数（通信履歴数）を読み出す。そして、通信履歴数が最低通信履歴数以上であるか否かを判定する。通信履歴数が最低通信履歴数以上であれば、日報印刷判定部３７は、通信管理日報レポートを印刷すべきであると判定する。
【００２９】
以上に示すように、日報印刷判定部３７は、第１の判定において『通信管理日報レポート印刷機能が「有効」である』こと、第２の判定において『通信管理日報レポート印刷時刻の設定値（印刷設定時刻）が到来している』こと、第３の判定において『通信履歴数が最低通信履歴数以上である』ことの３つの条件を満たしている場合に、通信履歴管理部３６Ａに対して、通信管理日報レポートの印刷データを生成させる。
【００３０】
《第１の実施形態の画像形成装置の動作》
図１の構成における複合機１（画像形成装置）の動作を図２〜図５を用いて説明する。図４は、複合機１がファックスを送信する際のファックス送信シーケンスのフローチャートである。
システム制御部２Ａ（スキャナ制御部３１）は、スキャナ部８の原稿載置の検出イベントを契機として、スキャナ部８に原稿画像を読み取らせ、次に、システム制御部２Ａ（ファックス制御部３３）は、読取画像をファックス部１０にファックス送信させる。
次に、システム制御部２Ａ（ファックス制御部３３）は、ファックス部１０が送信したファックスの送信履歴データ（通信履歴データ）を生成し（Ｓ１１０）、生成した送信履歴データ（通信履歴データ）をＦｌａｓｈＭｅｍｏｒｙ６に追加記録し（Ｓ１２０）、処理を終了する。
【００３１】
図５は、複合機１がファックスを受信する際のファックス受信シーケンスのフローチャートである。
システム制御部２Ａ（ファックス制御部３３）は、ファックス部１０がファックスを受信したことを検出する（Ｓ２１０）。そして、システム制御部２Ａ（ファックス制御部３３）は、ファックス部１０が受信したファックスの受信履歴データ（通信履歴データ）を生成する（Ｓ２２０）。そして、システム制御部２Ａ（ファックス制御部３３）は、生成した受信履歴データ（通信履歴データ）をＦｌａｓｈＭｅｍｏｒｙ６に追加記録し（Ｓ２３０）、処理を終了する。
【００３２】
図６は、複合機１が通信管理日報レポートを印刷する際の印刷シーケンスのフローチャートである。
システム制御部２Ａ（日報印刷判定部３７）は、ＥＥＰＲＯＭ７Ａから通信管理日報レポート印刷機能の設定値を読み出し、通信管理日報レポート印刷機能が「有効」であるか否かを判定する（Ｓ３１０）。
ここで、通信管理日報レポート印刷機能が「無効」である場合（Ｓ３１０，Ｎｏ）、システム制御部２Ａは、通信管理日報レポートを印刷せずに処理を終了する。
【００３３】
一方、通信管理日報レポート機能が「有効」である揚合（Ｓ３１０，Ｙｅｓ）、システム制御部２Ａは、ＲＴＣ４から読み出した現在時刻と、ＥＥＰＲＯＭ７Ａから読み出した通信管理日報レポート印刷時刻の設定値（印刷設定時刻）とを比較することにより、通信管理日報レポートを印刷する時刻が到来しているか否かを判定する（Ｓ３２０）。
ここで、通信管理日報レポート印刷時刻が到来してない場合（Ｓ３２０，Ｎｏ）、システム制御部２Ａは、通信管理日報レポートを印刷することなく、処理を終了する。
【００３４】
一方、通信管理日報レポート印刷時刻が到来している場合（Ｓ３２０，Ｙｅｓ）、システム制御部２Ａ（通信履歴管理部３６Ａ）は、ＦｌａｓｈＭｅｍｏｒｙ６の通信履歴データから読み出した通信履歴数と、ＥＥＰＲＯＭ７Ａから読み出した最低通信履歴数の設定値とを比較し、通信履歴数が最低通信履歴数以上であるか否かを判定する（Ｓ３３０）。
ここで、通信履歴数が最低通信履歴数未満の場合（Ｓ３３０，Ｎｏ）、システム制御部２Ａは、通信管理日報レポートを印刷せずに処理を終了する。
【００３５】
一方、通信履歴数が最低通信履歴数以上である場合（Ｓ３３０，Ｙｅｓ）、システム制御部２Ａ（通信履歴管理部３６Ａ）は、通信管理日報レポートの印刷データを生成する（Ｓ３４０）。そして、システム制御部２Ａ（プリンタ制御部３２）は、プリンタ部９に通信管理日報レポートの印刷データを出力し（Ｓ３５０）、プリンタ部９に通信管理日報レポートを印刷させる。そして、システム制御部２Ａ（通信履歴管理部３６Ａ）は、印刷データを出力後、ＥＥＰＲＯＭ７Ａに記憶された通信履歴データを削除する（Ｓ３６０）。そして、システム制御部２Ａは、すべての処理を終了する。
【００３６】
以上のように、通信管理日報レポート印刷機能が「無効」である場合（Ｓ３１０，Ｎｏ）や、通信管理日報レポート印刷時刻が到来してない場合（Ｓ３２０，Ｎｏ）、通信履歴数が最低通信履歴数未満である場合（Ｓ３３０，Ｎｏ）、いずれにおいても、システム制御部２Ａは、通信管理日報レポートを印刷せずに処理を終了する。
【００３７】
以上説明したように、第１の実施形態の複合機１によれば、利用者は最低通信履歴数の設定値を設定することにより、通信管理履歴がある場合や、一定数以上の通信管理履歴がある場合にのみ、通信管理日報レポートをプリンタ部９に印刷させることが可能となる。
それにより、通信管理履歴が全くない場合や、通信管理履歴が所定数以下である場合に、通信管理日報レポートが印刷されてしまうことによる、用紙の無駄を省くことが可能となる。
【００３８】
（第２の実施形態）
以下、本発明の第２の実施形態を図面に基づいて説明する。
図７は、第２の実施形態における画像形成装置としての複合機の全体構成のブロック図である。
複合機１Ａは、第１の実施形態の複合機１と同様に、ＲＴＣ４、ＦｌａｓｈＭｅｍｏｒｙ６、ＥＥＰＲＯＭ７Ｂ、スキャナ部８、プリンタ部９、ファックス部１０、表示操作部１１を備えているが、図７に示すように、スリープ時復帰監視部１２および電源部１３を備える点で相違する。
【００３９】
図８は、ＣＰＵ３とメモリに格納されたプログラムとが協働することにより実現される、システム制御部２Ｂが備える機能部を示した図である。
システム制御部２Ｂは、第１の実施形態と同様にＣＰＵ３およびメモリを備えているが、メモリに格納されているプログラムが第１の実施形態と相違し、特に、通信履歴管理部３６（３６Ｂ）として機能させるプログラムが相違し、さらに、日報印刷判定部３７（図３）として機能させるプログラムが相違するスリープ可否判定部３８を有している。
【００４０】
（通信履歴管理部３６Ｂ）
通信履歴管理部３６Ｂは、第１の実施形態の通信履歴管理部３６Ａと同様に、ＦｌａｓｈＭｅｍｏｒｙ６に記憶されたファクシミリの送信履歴データおよび受信履歴データである通信履歴データを管理する。また、プリンタ部９が印刷する通信管理日報レポートの印刷データを生成する。
【００４１】
（ＥＥＰＲＯＭ７Ｂ）
ＥＥＰＲＯＭ７Ｂは、表３に示す通信管理日報レポートに関する設定値を記録する記憶部であり、複合機１Ａにおいて、第１の実施形態のＥＥＰＲＯＭ７Ａと同様に、（ａ）通信管理日報レポート印刷機能の有効／無効、（ｂ）通信管理日報レポート印刷時刻、（ｃ）通信管理日報レポートの印刷条件となる最低通信履歴数、を設定値として記録し、それらに加えてＥＥＰＲＯＭ７Ｂは、（ｄ）スリープ機能の有効／無効、（ｅ）スリープ移行時間、を設定値としてさらに記録する。
【００４２】
【表３】
2012050040.tif 000005
【００４３】
（電源部１３）
電源部１３は、複合機１Ａ全体への電力供給を管理する。電源部１３は、システム制御部２Ｂからの指示により、複合機１Ａ全体の省電力状態を、通常状態から、パワーセーブ状態（第１の省電力状態）またはスリープ状態（第２の省電力状態）に移行する。
（通常状態時の電源部）
通常状態時の電源部１３は、画像形成装置本体各部へ電力を供給する。これにより、プリンタ部９の主要部（例えば、定着器）にも電源が供給され、複合機１Ａは印刷要求により、即時、紙などの媒体に画像形成を行うことができる。
（パワーセーブ状態時の電源部）
パワーセーブ状態時の電源部１３は、プリンタ部９の定着器の電源を遮断したり、表示操作部１１の表示部のバックライトを遮断したりして、省電力状態に切り換える働きをする。このパワーセーブ状態であっても、複合機１Ａでは数十ワットの電力が消費される。
（スリープ状態時の電源部）
スリープ状態時の電源部１３は、パワーセーブ状態よりもさらなる省電力を図るため、上位装置との通信機能や一部の機能を除く画像形成装置本体各部への電力供給を停止し、さらに、ＣＰＵ３へ供給する電力を“０”（ＯＦＦ）にする。
【００４４】
（スリープ時復帰監視部１２）
スリープ時復帰監視部１２は、ＣＰＵ１２１とメモリとを備え、複合機１Ａをスリープ状態に移行させたり、パワーセーブ状態に復帰させたりする処理部である。メモリには、ＣＰＵ３と協働して実行されるプログラムが格納されている。
スリープ時復帰監視部１２は、システム制御部２Ｂのスリープ可否判定部３８からの処理実行指示を受け、複合機１Ａをスリープ状態に移行させる。また、複合機１Ａがスリープ状態にある場合であっても電源部１３から電力が供給され、複合機１Ａがスリープ状態からパワーセーブ状態に復帰するための復帰要因を検出したか否かを判定する。復帰要因としては、接続先の通信機器からのファックスデータの受信や、ユーザによる表示操作部１１のキー操作などがある。
【００４５】
（スリープ可否判定部３８）
スリープ可否判定部３８は、パワーセーブ状態からスリープ状態への移行可否を判定する処理部である。複合機１Ａをスリープ状態に移行させることが可能である場合、スリープ可否判定部３８は、複合機１Ａをスリープ状態へ移行させるために、スリープ時復帰監視部１２に処理を実行させる。
まず、スリープ可否判定部３８は、ＥＥＰＲＯＭ７Ｂから、通信管理日報レポートに関するデータ（表４を参照）を読み出し、第１の判定を行う。
ここで、第２の実施形態の複合機１Ａにおける通信管理日報レポートのフォーマットは、第１の実施形態の複合機１と同様で、図２に示したものであるので説明を省略する。
【００４６】
（第１の判定）
第１の判定において、スリープ可否判定部３８は、「通信管理日報レポート印刷機能」の設定値（「有効／無効」）を読み出し、その設定値が「有効」であるか否かを判定する。通信管理日報レポート印刷機能の設定値が「有効」であれば、スリープ可否判定部３８は、第２の判定を行う。
【００４７】
（第２の判定）
第２の判定において、スリープ可否判定部３８は、「通信管理日報レポート印刷時刻」の設定値（印刷設定時刻「hh:mm」）を読み出す。さらに、ＲＴＣ４から「現在時刻」を読み出す。そして、設定値が到来しているか否かを判定する。到来していれば（印刷設定時刻が現在時刻より過去）、スリープ可否判定部３８は、第３の判定を行う。
【００４８】
（第３の判定）
第３の判定において、スリープ可否判定部３８は、「最低通信履歴数」の設定値を読み出す。さらに、通信履歴管理部３６Ｂにより管理され、ＦｌａｓｈＭｅｍｏｒｙ６に記憶された通信履歴データの数（通信履歴数）を読み出す。そして、通信履歴数が最低通信履歴数以上であるか否かを判定する。通信履歴数が最低通信履歴数以上であれば、スリープ可否判定部３８は、通信管理日報レポートを印刷すべきであると判定する。
【００４９】
一方、第１の判定において『通信管理日報レポート印刷機能の設定値が「無効」である』場合、または第２の判定において『設定値が到来している』場合、通信管理日報レポートを印刷すべきタイミングではないため、複合機１Ａをスリープ状態に移行させることが可能となる。
第３の判定において『通信履歴数が最低通信履歴数未満である』場合は、複合機１Ａのパワーセーブ状態を維持させる。
【００５０】
《第２の実施形態の画像形成装置の動作》
図７の構成における複合機１Ａ（画像形成装置）の動作を図８〜図１３を用いて説明する。図９Ａ，図９Ｂは、パワーセーブ状態の複合機１Ｂが通信管理日報レポートを印刷する際のパワーセーブ状態時シーケンス（以下、「メインシーケンス」と記載する）のフローチャートである。
パワーセーブ状態の複合機１Ａにおいて、システム制御部２Ｂ（ファックス制御部３３）は、まず、ファックス部１０を監視し、ファックス部１０がファックス受信を検出したか否かを判定する（Ｓ４１０）。ファックス受信を検出した場合（Ｓ４１０，Ｙｅｓ）、システム制御部２Ｂは、ファックス受信シーケンス（図１０）を実行する（Ｓ５００）。
一方、ファックス受信を検出していない場合（Ｓ４１０，Ｎｏ）、システム制御部２Ｂは後記するＳ４２０の処理を行う。
【００５１】
《ファックス受信シーケンス》
図１０は、ファックス受信シーケンスのフローチャートである。
ファックス制御部３３により、ファックス部１０がファックスを受信したことを検出したことを契機に、システム制御部２Ｂ（ファックス制御部３３）は、ファックス受信シーケンスを実行（開始）し（Ｓ５００，図９Ａ）、システム制御部２Ｂ（ファックス制御部３３）は、ファックス部１０が受信したファックスの受信履歴データ（通信履歴データ）を生成する（Ｓ５１０）。そして、システム制御部２Ｂ（ファックス制御部３３）は、生成した受信履歴データ（通信履歴データ）をＦｌａｓｈＭｅｍｏｒｙ６に追加記録する（Ｓ５２０）。そして、システム制御部２Ｂは、ファックス受信シーケンスを終了し、その後メインシーケンス（図９Ａ）に復帰する。
【００５２】
図９Ａの説明に戻る。
システム制御部２Ｂは、ファックス受信シーケンスが終了した場合（Ｓ５００）、または、ファックス部１０がファックス受信を検出していない場合（Ｓ４１０，Ｎｏ）に、システム制御部２Ｂ（表示操作制御部３４）は、表示操作部１１を監視し、キー操作を検出したか否かを判定する（Ｓ４２０）。キー操作を検出した場合（Ｓ４２０，Ｙｅｓ）、システム制御部２Ｂは、キー操作シーケンス（図１１）を実行する（Ｓ６００）。
一方、キー操作を検出していない場合（Ｓ４２０，Ｎｏ）、システム制御部２Ｂは、後記するＳ４３０（図９Ｂ）の処理を行う。
【００５３】
《キー操作シーケンス》
図１１は、キー操作シーケンスのフローチャートである。
システム制御部２Ｂ（表示操作制御部３４）は、キー操作シーケンスを実行（開始）し（Ｓ６００，図９Ａ）、表示操作制御部３４により、表示操作部１１から取得したキー操作の内容が「ファックス送信」であるか否かを判定する（Ｓ６１０）。
キー操作が「ファックス送信」である場合（Ｓ６１０，Ｙｅｓ）、システム制御部２Ｂ（スキャナ制御部３１）は、スキャナ部８の原稿載置の検出イベントを契機として、スキャナ部８に原稿画像を読み取らせ、次に、システム制御部２Ｂ（ファックス制御部３３）は、読取画像をファックス部１０にファックス送信させる。
ファックス送信後、システム制御部２Ｂ（ファックス制御部３３）は、送信したファックスの送信履歴データ（通信履歴データ）を生成し（Ｓ６２０）、生成した送信履歴データ（通信履歴データ）をＦｌａｓｈＭｅｍｏｒｙ６に追加記録させる（Ｓ６３０）。
【００５４】
一方、キー操作が「ファックス送信」ではない場合（Ｓ６１０，Ｎｏ）、システム制御部２Ｂ（表示操作制御部３４）は、表示操作部１１から取得したキー操作の内容が「設定値変更」であるか否かを判定する（Ｓ６４０）。
キー操作が「設定値変更」である場合（Ｓ６４０，Ｙｅｓ）、システム制御部２Ｂは、設定値変更処理を実行する（Ｓ６５０）。これにより、変更後の設定値がＥＥＰＲＯＭ７Ｂに保存される。
一方、キー操作が「設定値変更」ではない場合（Ｓ６４０，Ｎｏ）、またはＳ６３０やＳ６５０の処理が終了後に、メインシーケンス（図９Ａ）に復帰する（Ｓ６００，図９Ａ）。
【００５５】
図９Ａの説明に戻る。
システム制御部２Ｂは、キー操作を検出していない場合（Ｓ４２０，Ｎｏ）、または、キー操作シーケンスから復帰した場合（Ｓ６００）に、システム制御部２Ｂ（通信履歴管理部３６Ｂ）は、ＥＥＰＲＯＭ７Ｂから通信管理日報レポート印刷機能の設定値を読み出し、通信管理日報レポート印刷機能が「有効」であるか否かを判定する（Ｓ４３０，図９Ｂ）。
通信管理日報レポート印刷機能が「無効」である場合（Ｓ４３０，Ｎｏ）、システム制御部２Ｂは、通信管理日報レポートをプリンタ部９に印刷させない。その後、後記するＳ４５０の処理を行う。
【００５６】
一方、通信管理日報レポート印刷機能が「有効」である場合（Ｓ４３０，Ｙｅｓ）、システム制御部２Ｂ（通信履歴管理部３６Ｂ）は、ＥＥＰＲＯＭ７Ｂから最低通信履歴数の設定値を読み出し、さらに、通信履歴管理部３６ＢがＦｌａｓｈＭｅｍｏｒｙ６に記憶された通信履歴データの数（通信履歴数）を読み出す。そして、システム制御部２Ｂ（通信履歴管理部３６Ｂ）は、通信履歴数が最低通信履歴数以上であるか否かを判定する（Ｓ４４０）。
【００５７】
通信履歴数が最低通信履歴数未満である場合（Ｓ４４０，Ｎｏ）、システム制御部２Ｂ（通信履歴管理部３６Ｂ）は、通信管理日報レポートをプリンタ部９に印刷させない。その後、後記するＳ４５０の処理を行う。
一方、通信履歴数が最低通信履歴数以上である場合（Ｓ４４０，Ｙｅｓ）、システム制御部２Ｂ（通信履歴管理部３６Ｂ）は、後記するＳ４７０の処理を行う。
【００５８】
以上のように、通信管理日報レポート印刷機能が「無効」である場合、および、通信履歴数が最低通信履歴数未満である場合には、通信管理日報レポートが印刷されない。そのため、複合機１Ａは、通信管理日報レポート印刷時刻が到来することを待つ必要がない。複合機１Ａは時刻を監視せずに、そのままスリープ状態に移行することができる。
【００５９】
また、通信管理日報レポート印刷機能が「無効」である場合（Ｓ４３０，Ｎｏ）や、通信履歴数が最低通信履歴数未満である場合（Ｓ４４０，Ｎｏ）において、システム制御部２Ｂ（スリープ可否判定部３８）は、スリープ状態に移行できるか否かを判定する（Ｓ４５０）。この判定処理は、システム制御部２Ｂが、まず、ＥＥＰＲＯＭ７Ｂに記憶されたスリープ機能の設定値を取得し、その設定値が「有効」であるか否かで判定する。
ここで、スリープ機能の設定値が「無効」である場合、スリープ状態に移行できない（Ｓ４５０，Ｎｏ）。システム制御部２Ｂは、Ｓ４１０（図９Ａ）に戻る。
【００６０】
一方、スリープ機能の設定値が「有効」である場合、スリープ状態に移行できる（Ｓ４５０，Ｙｅｓ）。システム制御部２Ｂ（スリープ可否判定部３８）は、スリープ時復帰監視部１２に処理を実行させ、複合機１Ａをスリープ状態に移行させる（Ｓ４６０）。これにより、電源部１３は、上位装置との通信機能や一部の機能を除く、複合機１Ａ本体各部への電力供給を停止する。
複合機１Ａがスリープ状態に移行することで、システム制御部２Ｂには電力が供給されなないため、システム制御部２Ｂは処理を行えなくなる。そこで、スリープ状態からパワーセーブ状態へ復帰するために、スリープ状態にあっても電力が供給されているスリープ時復帰監視部１２が備えるＣＰＵ１２１が、スリープ状態時シーケンス（図１２）を実行する（Ｓ７００）。
【００６１】
図１２は、複合機１Ａがスリープ状態に移行した場合のスリープ状態時シーケンスのフローチャートである。
スリープ時復帰監視部１２（ＣＰＵ１２１）（図７）は、スリープ状態時シーケンスを実行し（Ｓ７００，図９Ｂ）、複合機１Ａがスリープ状態からパワーセーブ状態に復帰するための復帰要因の定期監視を行い、復帰要因を検出したか否かを判定する（Ｓ７１０）。当該判定処理は、なんらかの入力や受信などのイベントがあったときに、タイマ割り込み処理として行われ、そのイベントが復帰要因であるか否かを判定することで実現される。
ここで、イベントが復帰要因でない場合（Ｓ７１０，Ｎｏ）、次のイベントが発生するまで待機する。
【００６２】
一方、イベントが復帰要因である場合（Ｓ７１０，Ｙｅｓ）、スリープ時復帰監視部１２（ＣＰＵ１２１）は、電源部１３を制御して、システム制御部２Ｂに電力を供給させる（Ｓ７２０）。以上により、スリープ状態時シーケンスを終了する。
そして、電力が供給されたシステム制御部２Ｂは、Ｓ４１０（図９Ａ）に戻る。これにより、複合機１Ａがスリープ状態からパワーセーブ状態に復帰する。
【００６３】
図９Ｂの説明に戻る。
（Ｓ４７０の処理）
通信履歴数が最低通信履歴数以上である場合（Ｓ４４０，Ｙｅｓ）、システム制御部２Ｂ（通信履歴管理部３６Ｂ）は、ＲＴＣ４から読み出した現在時刻と、ＥＥＰＲＯＭ７Ｂから読み出した通信管理日報レポート印刷時刻の設定値（印刷設定時刻）とを比較し、通信管理日報レポート印刷時刻が到来しているか否かを判定する（Ｓ４７０）。
【００６４】
通信管理日報レポート印刷時刻が到来していない場合（Ｓ４７０，Ｎｏ）、システム制御部２Ｂは、Ｓ４１０（図９Ａ）に戻る。
このとき、通信管理日報レポート印刷時刻は到来していないが、通信管理日報レポート印刷機能の設定値が「有効」となっており、ＦｌａｓｈＭｅｍｏｒｙ６には最低通信履歴数の設定値以上の通信履歴データの数（通信履歴数）が記録されている。そのため、複合機１Ａは、通信管理日報レポート印刷時刻が到来することを待つ必要があり、スリープ状態に移行できない。
一方、通信管理日報レポート印刷時刻が到来している場合（Ｓ４７０，Ｙｅｓ）、システム制御部２Ｂ（通信履歴管理部３６Ｂ）は、通常状態時印刷シーケンス（Ｓ８００）を実行し（図１３）、複合機１Ａを通常状態に移行させる。
【００６５】
図１３は、複合機１Ａが通常状態に移行し、通信管理日報レポートを印刷する通常状態時印刷シーケンスのフローチャートである。
システム制御部２Ｂは、通信履歴管理部３６Ｂが通信管理日報レポートの印刷データを生成する（Ｓ８１０）。そして、システム制御部２Ｂは、通信管理日報レポートの印刷データ（ビットマップデータ）をプリンタ部９に出力する（Ｓ８２０）。これにより、プリンタ部９は通信管理日報レポートを印刷する。
通信管理日報レポートの印刷データを出力後、システム制御部２Ｂ（通信履歴管理部３６Ｂ）は、ＦｌａｓｈＭｅｍｏｒｙ６に記憶された通信履歴データを削除する（Ｓ８３０）。これにより、通信履歴数が“０”となる。そして、システム制御部２Ｂは、通常状態時印刷シーケンスを終了する。
その後、システム制御部２Ｂ、Ｓ４１０（図９Ａ）に戻る。
以上のように、複合機１Ｂが備えるシステム制御部２Ｂはメインシーケンスの処理を行う。
【００６６】
以上の処理において、ＥＥＰＲＯＭ７Ｂの「最低通信履歴数」の設定値が０以外であり、ＦｌａｓｈＭｅｍｏｒｙ６に通信履歴データが記憶されていない（通信履歴数が“０”）場合に、システム制御部２ＢがＳ４４０の処理を実行すると、通信履歴数は最低通信履歴数未満となる（Ｓ４４０，Ｎｏ）。そのため、システム制御部２Ｂは、通信管理日報レポートをプリンタ部９に印刷させない。その後、通信履歴データ（送信履歴データおよび受信履歴データ）がＦｌａｓｈＭｅｍｏｒｙ６に追加記録されて、通信履歴数が最低通信履歴数以上となるまで、スリープ状態に移行する条件を満たすこととなる。
【００６７】
以上説明したように、第２の実施形態によれば、通信管理日報レポート印刷機能が「有効」になっているために、画像形成装置としてより消費電力を抑えるスリープ状態に移行することができないという問題に対して、最低通信履歴数の設定値を設定することにより、通信管理履歴が設定された最低通信履歴数以下の場合には、複合機１Ａがスリープ状態に移行することが可能となる。
そのため、従来のように通信管理日報レポートが「有効」であるためにスリープ状態に移行することができない場合と比べ、消費電力を抑えることができる。
【００６８】
第１の実施形態、第２の実施形態では複合機（ＭＦＰ）に適用した例を説明したが、例えば、電子写真記録方式のプリンタ、ファクシミリ装置、複写機などにも適用することができる。
【００６９】
（変形例）
本発明は前記した実施形態に限定されるものではなく、例えば以下のような種々の変形が可能である。
（１）前記第２の実施形態の図９（図９Ａおよび図９Ｂ）のメインシーケンスにおいて、「ファックス受信の検出判定（Ｓ４１０）」、「キー操作の検出判定（Ｓ４２０）」を「通信管理日報レポート機能の判定（Ｓ４３０）」、「通信履歴数の判定（Ｓ４４０）」、「通信管理日報レポート印刷時刻の判定（Ｓ４７０）」よりも先に実行しているが、Ｓ４１０，Ｓ４２０の判定は、イベント発生による割込処理によって行うことができる。
【００７０】
（２）前記各実施形態は、プリンタ部９およびファックス部１０を備えた複合機１，１Ａについて説明したが、ＵＳＢ（Universal Serial Bus）インタフェースおよびプリンタドライバを介してプリンタが接続され、ＦＡＸモデムを備えたＰＣ（Personal Computer）のＣＰＵ（Central Processing Unit）に機能させるファクシミリプログラムとしても実現可能である。
この場合、出力部は、ＵＳＢインタフェースおよびプリンタドライバであり、不揮発性記憶部は、ＨＤＤ（Hard Disk Drive）が使用される。また、プログラムおよびＣＰＵにより実現される、ファックス制御手段は、ファックスモデムを使用して、ファクシミリ通信を行うと共に、ファクシミリ通信毎の通信履歴情報を前記不揮発性記憶部に逐次格納し、通信履歴管理手段は、不揮発性記憶部に記憶された通信履歴情報の数を計数し、その計数結果である通信履歴数と、不揮発性記憶部に予め格納された閾値とを比較し、通信履歴数が前記閾値未満の場合には、通信履歴情報を出力部に出力させず、通信履歴数が閾値以上の場合には、通信履歴情報を出力部に出力させる。
【００７１】
（３）前記各実施形態は、不揮発性記憶部として、ＦｌａｓｈＭｅｍｏｒｙ６と、ＥＥＰＲＯＭ７とを備え、通信履歴データと、通信管理日報レポートに関する設定値とを、２つの不揮発性記憶部に分けて記憶させているが、１つの不揮発性記憶部であっても実現可能である。
【符号の説明】
【００７２】
１      複合機
２（２Ａ）  システム制御部
３      ＣＰＵ
４      ＲＴＣ（現在時刻記憶部）
６      ＦｌａｓｈＭｅｍｏｒｙ（不揮発性記憶部）
７（７Ａ）  ＥＥＰＲＯＭ（出力開始時刻記憶部）
８      スキャナ部
９      プリンタ部（出力部）
１０    ファックス部
１１    表示操作部
３１    スキャナ制御部
３２    プリンタ制御部
３３    ファックス制御部
３４    表示操作制御部
３５    通信制御部
３６（３６Ａ）  通信履歴管理部
３７    日報印刷判定部
３８    スリープ可否判定部
【図１】
2012050040.tif 000006
【図２】
2012050040.tif 000007
【図３】
2012050040.tif 000008
【図４】
2012050040.tif 000009
【図５】
2012050040.tif 000010
【図６】
2012050040.tif 000011
【図７】
2012050040.tif 000012
【図８】
2012050040.tif 000013
【図９Ａ】
2012050040.tif 000014
【図９Ｂ】
2012050040.tif 000015
【図１０】
2012050040.tif 000016
【図１１】
2012050040.tif 000017
【図１２】
2012050040.tif 000018
【図１３】
2012050040.tif 000019